(57)【特許請求の範囲】
【請求項１】
扉の外壁面側に取り付けられるシリンダ錠と、一方、このシリンダ錠の軸線を基準として扉の内壁面に固定され、かつ該シリンダ錠の直径よりも大きい外装体を有する電動サムターンユニットと、この電動サムターンユニットをシリンダ錠に固定する締付け具とを備える扉錠の防犯構造に於いて、前記扉の内壁面と前記電動サムターンユニットとの間にドリル対策用の防犯台座を配設し、このドリル対策用の防犯台座は、上下及び左右の幅が前記外装体よりもさらに大きく形成され、かつ該外装体の外周縁部と重なり合う嵌合開口を有する支持枠と、この支持枠に固定手段を介して一体的に固定された少なくとも一枚のガード板とから成る扉錠の防犯構造。
【請求項２】
請求項１に於いて、防犯台座の前記嵌合開口は、外装体の外周縁部を内側に囲む環状支持枠で画定された大きな支持枠開口であることを特徴とする扉錠の防犯構造。
【請求項３】
請求項１に於いて、ドリル対策用の防犯台座は、外装体側からガード板の位置決め開口を通ってシリンダ錠に螺合する締付け具を介して、該シリンダ錠と前記電動サムターンユニットにサンドイッチ状に挟持されていることを特徴とする扉錠の防犯構造。
【請求項４】
請求項１に於いて、ドリル対策用の防犯台座は、さらにガード板の一側面に配設された弾性の防水板を備えていることを特徴とする扉錠の防犯構造。
【発明の詳細な説明】
【技術分野】
【０００１】
本発明は、扉錠の防犯構造に関し、特にシリンダ錠の外筒の直径よりも大きい外装体を有する電動サムターンユニットを備え、特に扉の外壁面からのドリル攻撃に対して防犯効果を高めることができる扉錠の防犯構造に関する。
【背景技術】
【０００２】
特許文献１の発明の課題は、「シリンダ錠の外筒の周辺からドリルを用い、扉の室外側から室内側に穴が穿孔されないようにすることによって、サムターン回し具によっても、錠ケースの室内側に取り付けてあるサムターンが解錠方向に回動できないようにする不正解錠用扉錠を提供すること」である。この点、本発明の出発点も同様である。
【０００３】
さて、この発明の解決手段は、ドリルの押圧力によりドリルの先端が傾いて、ドリルによる穿孔を不可能とするようにしたガード板３０を、シリンダ錠の外筒の周辺も含む錠ケース１の周辺部にあらゆる実施形態で設けている。
【０００４】
例えば、ガード板３０を錠ケース１に一体的に設けるとか（実施形態の１、段落００２０、図５）、シリンダ１０やサムターン２０や丸座などの錠ケース以外の錠部品に一体的に設けるとか（実施形態の７、段落００３３、図１６）、あるいは扉に一体的に設ける（実施形態の１、段落００３４、図３）とかである（符号は特許文献１もの）。
【０００５】
したがって、特許文献１に記載の扉錠は、泥棒がドリル等の工具を用いた穿孔途中に於いて、仮にガード板にドリルの先端が当たっても、ガード板が穿孔不可能な焼入れ、焼き戻し等の硬質部材であることから、ドリルの先端が傾いてしまうので、泥棒は住居侵入を達成することができず、防犯効果に優れているという利点がある。
【０００６】
しかしながら、この特許文献１には、ガード板をシリンダやサムターンや丸座などの錠ケース以外の錠部品に一体的に設けも良い旨が記載されているものの、「電動サムターンユニット」に対する適用については、その具体的構成が示されていない。周知のように、電動サムターンユニットの外装体（サムターン台座も含む）は、サムターン軸を含む駆動機構、配線、電送部品等を内装することから、普通一般に外装体の左右上下の幅は、扉の外壁面側に露呈するシリンダ錠の外筒の直径よりも非常に大きいものとなっている。付言すると、例えば外装体の上下の長さは、前記外筒の直径の二倍近くあり、また、その上下方向の長さは、外筒の直径の二倍以上もある。
【０００７】
であるから、扉の外壁面側に取り付けられるシリンダ錠と、このシリンダ錠の軸線を基準とし扉の内壁面に固定され、かつ該シリンダ錠の直径よりも大きい外装体を有する電動サムターンユニットとを備える扉錠に於いては、前記外装体がシリンダ錠の外筒から左右上下に食み出すのみならず、施錠片を備えた錠箱の大きさ如何によっては、外装体が前記錠箱の後壁からも食み出す場合もある。このように場合には、特に電動サムターンユニットは、特許文献１に記載しているように泥棒の機械工具による攻撃を受ける可能性がある。
【０００８】
ところで、特許文献２は、出願人が貴庁に提案したものである。この特許文献２の図１、図２等には、外装体としてのサムターン座に設けた摘みを全体的にカバーする事項が記載され、前記サムターン座は電動サムターン用にも適用できる旨が記載されている（段落０００２）。
【０００９】
また、特許文献３の図１及び特許文献４の段落００１５には、「電動サムターンユニット」を概念付ける各要素（基準）がそれぞれ記載されている。すなわち、これらの特許文献に記載の電動サムターンユニットの共通的な要素は、（ａ）ケース状の外装体と、（ｂ）外装体の外壁面から突出するように設けられた摘みと、（ｃ）摘みに連結されたサムターン軸を含むサムターン駆動機構と、（ｄ）サムターン駆動機構用の駆動源としてのマイクロモータと、（ｅ）マイクロモータと電気的に接続する結線手段等である。
【特許文献１】特開２００４−２１１４００号公報
【特許文献２】特開２００６−１１８３１３号公報
【特許文献３】特開２００３−２３９５８５号公報
【特許文献４】特開２００５−３３６８３５号公報
【発明の開示】
【発明が解決しようとする課題】
【００１０】
本発明の第１の目的は、電動サムターンユニットを機械工具からの攻撃から守ると同時に、扉の内壁面に簡単に装着することができること（装着作業の効率化）。第２の目的は、電動サムターンユニットを扉の内壁面に装着しても、ガタツカないこと（組み付け作業の良好性）。第３の目的は、防犯台座を極力シンプルな形態にすることができると共に、その支持枠に意匠的要素を加味することができること。その他付随的目的として、防水効果も得ることができることである。
【課題を解決するための手段】
【００１１】
本発明の扉錠の防犯構造は、扉の外壁面側に取り付けられるシリンダ錠と、一方、このシリンダ錠の軸線を基準として扉の内壁面に固定され、かつ該シリンダ錠の直径よりも大きい外装体を有する電動サムターンユニットと、この電動サムターンユニットをシリンダ錠に固定する締付け具とを備える扉錠の防犯構造に於いて、前記扉の内壁面と前記電動サムターンユニットとの間にドリル対策用の防犯台座を配設し、このドリル対策用の防犯台座は、上下及び左右の幅が前記外装体よりもさらに大きく形成され、かつ該外装体の外周縁部と重なり合う嵌合開口を有する支持枠と、この支持枠に固定手段を介して一体的に固定された少なくとも一枚のガード板とから成る。
【００１２】
上記構成に於いて、防犯台座の前記嵌合開口は、外装体の外周縁部を内側に囲む環状支持枠で画定された大きな支持枠開口であることを特徴とする。また、ドリル対策用の防犯台座は、外装体側からガード板の位置決め開口を通ってシリンダ錠に螺合する締付け具を介して、該シリンダ錠と前記電動サムターンユニットにサンドイッチ状に挟持されていることを特徴とする。さらに、ドリル対策用の防犯台座は、ガード板の一側面に配設された弾性の防水板を備えていることを特徴とする。
【発明の効果】
【００１３】
（ａ）電動サムターンユニットを機械工具からの攻撃から守ることができる。すなわち、特許文献１に記載してあるように、シリンダ錠の外筒の周辺からドリルにより、扉の室外側から室内側に穴が穿孔されないから、サムターン回し具等の不正解錠を防止することができる。
（ｂ）ドリル対策用の防犯台座は、外装体の外周縁部と重なり合う周方向の嵌合溝を有する支持枠と、この支持枠に固定手段を介して一体的に固定された少なくとも一枚のガード板とから成るので、扉の内壁面に対する装着時、電動サムターンユニットの外装体の外周縁部を支持枠に嵌め込むようにすれば良いから、電動サムターンユニットを扉の内壁面に簡単に装着することができる。したがって、装着作業の効率化を図ることができる。
（ｃ）請求項３に記載の発明は、支持枠自体に締付け具用の取付け部分を設ける必要がないので、防犯台座を極力シンプルな形態にすることができると共に、支持枠の外周壁をアール形状にするなど意匠的要素を加味することができる。
（ｄ）請求項４に記載の発明は、簡単に防水効果を得ることができる。
【発明を実施するための最良の形態】
【００１４】
以下、図１乃至図９に示す本発明を実施するための最良の形態（第１実施例）により説明する。
【００１５】
（１）発明の実施の環境
図１は発明の実施の環境を示す概略説明図である。図１に於いて、１は建具用扉で、この建具用扉１の基端部側は蝶番を介して戸枠の縦枠に取付けられている。したがって、図１では建具用扉１の自由端部側の錠箱を構成するフロント２が見えている。錠箱は、周知のように、ケース身、ケース蓋、ケース身の取付け前板、取付け前板の前面に固定される前記フロント２から構成されている。ここでは公報を介して犯罪手口を教えることにもなりかねないので、そのような示唆図面、錠箱の形態及び錠箱と他の部材との関係についての詳細説明は割愛する。
【００１６】
さて、図１を基準にすると、右側が室外、左側が室内である。したがって、３は扉１の外壁面１ａ側に取り付けられるシリンダ錠、一方、４はシリンダ錠３の駆動軸やサムターン軸の軸線ａを基準とし扉１の内壁面１ｂに固定されると共に、該シリンダ錠３の外筒の直径よりも大きい外装体を有する電動サムターンユニット、５は電動サムターンユニットと前記シリンダ錠３に複数本の締付け具６を介してサンドイッチ状に挟持される防犯台座である。なお、図１では、説明の便宜上、シリンダ錠３の表面３ａと、シリンダ錠３の裏面３ｂと、前記複数本の締付け具６を概略的に一緒に示してある。
【００１７】
本発明の扉錠の防犯構造Ｘの基本的な構成部材は、所定形状の大きさに形成された図示しない錠箱は当然のことながら、シリンダ錠３と、電動サムターンユニット４と、防犯台座５と、該防犯台座５を電動サムターンユニット４と前記シリンダ錠３との間に挟持するための締付け具６とから成る。以下、本発明の特定要件について順次説明する。
【００１８】
（２）シリンダ錠３
シリンダ錠３は扉１の外壁面１ａ側に取り付けられる。図１を参照にすると、７は外筒、８は表面３ａ側に鍵穴を露呈する内筒、９は裏面３ｂ側に存在するシリンダ錠３の駆動軸（テールピースも含む）、１０は裏面３ｂに形成された締付け具６用の螺合部（例えばメネジ）である。シリンダ錠３の内部構造は割愛するが、シリンダ錠３は、例えば半径方向に可動障害子が移動するピンタンブラー錠が使用されている。なお、符号ｂはシリンダ錠３の半径方向を意味し、また、符号Ｌはシリンダ錠３の外筒の直径を意味する。
【００１９】
（３）電動サムターンユニット４
電動サムターンユニット４は、シリンダ錠３の軸線ａを基準として扉１の内壁面１ｂに防犯台座５を介して固定的に嵌合装着され、かつ該シリンダ錠３の直径Ｌよりも大きい外装体１１を有している。
【００２０】
図２（ａ）は電動サムターンユニット４を防犯台座５に固定的に嵌合装着した室内側から見た正面図、また、図２（ｂ）は摘み１３及び摘み１３の軸１３ａの同心円上に設けられた環状肉厚蓋板１４を取り外した電動サムターンユニット４を室内側から見た正面図である。
【００２１】
摘み１３及び環状肉厚蓋板１４を外装体１１の正面壁（手前の前壁）１１ａの上部から取り外すと、前記正面壁１１ａの内壁面に固定された取付け板１５の中央部に摘み１３の軸１３ａ用の軸孔１５ａと、この軸孔１５ａの同心円上に形成された締付け具６用の複数個の取付け孔１５ｂがそれぞれ見える。図２（ｂ）では、便宜上、摘み１３の軸（或いはサムターン軸）１３ｂ及び締付け具６も描いてある。
【００２２】
ところで、電動サムターンユニット４の外装体１１は、室内側から見ると手前の前壁に相当する正面壁１１ａと、図１で示すように、正面壁１１ａの周端部から扉１の内壁面１ｂ側に所要量延在する環状周側壁１１ｂと、この環状周側壁１１ｂに一体的に結合したサムターン台座（ここでは該サムターン台座も外装体１１の一部と概念付ける）１１ｃとから成る。
【００２３】
なお、前記サムターン台座１１ｃは、その一端部側が環状周側壁１１ｂに適宜に固定され、一方、その他端部の外周縁部は、防犯台座５の環状支持枠２１の嵌合開口２２に丁度嵌り合う。また、特に図示しないが、サムターン台座１１ｃも防犯台座５の環状支持枠２１と同様に環状に形成され、適宜箇所には配線手段用の切欠部を有している。
【００２４】
（４）電動サムターンユニット４の概念
ここでは、電動サムターンユニットについて記述する。電動サムターンユニットに関する特許文献に関しては「背景技術」の欄で説明したとおりである。
【００２５】
そこで、特許文献２〜４を参照にすると、この明細書に於いて、電動サムターンユニット４を概念付ける基準となるものは、少なくとも（ａ）ケース状の外装体と、（ｂ）外装体の外壁面から突出するように設けられた摘みと、（ｃ）摘みに連結されたサムターン軸を含むサムターン駆動機構と、（ｄ）サムターン駆動機構用の駆動源としてのマイクロモータ或いはソレノイドと、（ｅ）駆動源と電気的に接続する結線手段であるということができる。なお、制御部は、外装体の外に配設する場合があるので、制御部は電動サムターンユニット４を概念付ける基準となるものではない。
【００２６】
（５）防犯台座５
防犯台座５は、扉１の内壁面１ｂと電動サムターンユニット４との間に配設されている。本実施例では、例えば防犯台座５は、扉１の内壁面１ｂにガード板２４Ａの位置決め開口を基準にして添設し、かつ支持枠２１の嵌合開口２２に電動サムターンユニット４の外装体１１の外周縁部と重なり合うに嵌め込み、その状態で前記外装体１１とシリンダ錠３とを複数本の締付け具６を介して一体的に固定する。
【００２７】
図３は防犯台座５を室内側から見た正面図（正面壁１１ａが実線で見える）、一方、図４は防犯台座５の背面からの概略説明図である。特に、図９では、防犯台座５の構成部材の一例を斜視図で示す。
【００２８】
図１及び図２で示すように、ドリル対策用の防犯台座５は、上下及び左右の幅が電動サムターンユニット４の外装体１１よりもさらに大きく形成され、かつ該外装体１１の扉内壁面側の外周縁部と重なり合う嵌合開口２２を有する環状の支持枠２１と、この支持枠２１に複数本の固定手段２３を介して一体的に固定された少なくとも一枚のガード板２４とから成る。
【００２９】
しかして、前記ガード板２４は、本実施例では、図４で示すように、支持枠２１の裏面に周設された嵌合溝２５を介して該ガード板２４の上部側に固定された上ガード板２４Ａと、この上部ガード板２４Ａに所定間隔離間して支持枠２１の裏側に前記嵌合溝２５を介して該ガード板２４の下部側に固定された横長状の下ガード板２４Ｂとから成る。
そして、上ガード板２４Ａと下ガード板２４Ｂには、周端部や左右端部に固定手段２３用の貫通小孔２６、２７が複数個形成されている。
【００３０】
ところで、本実施例の上ガード板２４Ａは、下ガード板２４Ｂよりも上下方向の幅が広く、しかも、その上端縁は、支持枠２１の上端縁の弧状形状に対応して弧状に形成されている。また、上ガード板２４Ａの中央部には、少なくとも電動サムターンユニット４の摘み１３の軸１３ａ及び締付け具６を通すことができる比較的大きな位置決め開口２８が形成されている。この位置決め開口２８の大きさは、上ガード板２４Ａのカード機能を考慮してシリンダ錠３の外筒７の直径Ｌと同等か又は直径Ｌよりも若干小さく設定されている。したがって、位置決め開口２８はシリンダ錠３の外筒７の直径の範囲内で形成されている。
【００３１】
ここで、防犯台座５の嵌合開口２２について付言する。防犯台座５の嵌合開口２２は、外装体１１の外周縁部を内側に囲む環状支持枠２１で画定された大きな支持枠開口である。この支持枠開口２２は、図３、図４及び図７で示すように、環状支持枠２１の裏側の嵌合溝２５に上ガード板２４Ａと下ガード板２４Ｂをそれぞれ嵌め込むと、これらの上ガード板２４Ａと下ガード板２４Ｂの面積に対応して閉鎖されるものの、該上ガード板２４Ａの下端縁と下ガード板２４Ｂの上端縁の間に隙間３０が出来る。また、上ガード板２４Ａの位置決め開口２８と支持枠開口２２の一部は連通状態となる。
【００３２】
（６）弾性の防水板３１
ところで、付随的な構成要件ではあるが、ドリル対策用の本実施例の防犯台座５は、さらにガード板の一側面に接着層を介して配設された弾性の防水板３１を備えている。この弾性の防水板３１は、シート状のゴム、シート状の合成樹脂、シート状のスポンジのいずれかであり、本実施例では小判形状に形成されていると共に、上ガード板２４Ａと下ガード板２４Ｂに亘って設けられている。なお、弾性の防水板３１の上端部には上ガード板２４Ａの位置決め開口２８と符合する開口部３２が形成され、一方、下端部には適宜に取付け小孔３３が形成されている。
【００３３】
（７）装着作業と組み付け作業
図１、図７及び図８で示すように、防犯台座５は、扉１の内壁面１ｂに固定されるが、本実施例では、図７で示すように、防犯台座５を扉１の内壁面１ｂに固定する際に、上ガード板２４Ａの位置決め開口２８を基準として、防犯台座５の嵌合開口２２に電動サムターンユニット４の外装体１１の外周縁部を嵌め込む。そうすると、防犯台座５の前記嵌合開口２２は、外装体１１の外周縁部を内側に囲む環状支持枠２１で画定されことから、電動サムターンユニット４は、装着作業時、防犯台座５にガタツクことなく安定的に支持される。
【００３４】
そこで、外装体１１側からサムターン取付け板１５の複数個の取付け孔１５ｂに締付け具６を差込むと共に、上ガード板２４Ａの位置決め開口２８及び弾性の防水板３１の開口部３２を通ってシリンダ錠の螺合部に螺合すると、
防犯台座５は、シリンダ錠３と電動サムターンユニット４にサンドイッチ状に挟持される。
【実施例】
【００３５】
発明の実施の形態で示した実施例に於いて、ガード板２４は、環状支持枠２１の裏側の嵌合溝２５に嵌合する上ガード板２４Ａと下ガード板２４Ｂの「二枚」から成るが、もちろん、「所要大きさに形成された一枚」であっても良い。また、ガード板２４は、その取付け容易性、非移動性等を考慮して環状支持枠２１の裏側の嵌合溝２５に嵌合しているが、前記嵌合溝２５は発明の本質的要件ではない。なお、ガード板２４は、材料はもちろんのこと、焼入れ、焼き戻し等の工程を経て硬質に成形されている。
【産業上の利用可能性】
【００３６】
本発明は、主に錠前や建具の業界で利用される。
【図面の簡単な説明】
【００３７】
図１乃至図９は本発明の最良の実施例を示す各説明図。
【図１】発明の実施の環境を示す概略説明図。
【図２】図２（ａ）防犯台座に電動サムターンユニットを嵌合した状態の室内側から見た正面図。図２（ｂ）環状肉厚蓋板を取り外した電動サムターンユニットを室内側から見た正面図。
【図３】防犯台座を室内側から見た正面図。
【図４】防犯台座の背面からの概略説明図。
【図５】図３の５−５線断面に基づく説明図。
【図６】図３の６−６線断面に基づく説明図。
【図７】図３の７−７線断面に基づく説明図。
【図８】装着作業と組み付け作業の概略説明図。
【図９】防犯台座の構成部材の一例を示す斜視図。
【符号の説明】
【００３８】
Ｘ…扉錠の防犯構造、1…建具用扉、１ａ…外壁面、１ｂ…内壁面、２…フロント、３…シリンダ錠、３ａ…表面、３ｂ…裏面、Ｌ…外筒の直径、ａ…軸線、４…電動サムターンユニット、５…防犯台座、６…締付け具、７…外筒、８…内筒、９…駆動軸、１０…螺合部、１１…外装体、１１ａ…正面壁（手前の前壁）、１１ｂ…環状周側壁、１１ｃ…サムターン台座、１３…摘み、１３ａ…軸、１４…環状肉厚蓋板、１５…取付け板、１５ａ…軸孔、１５ｂ…取付け孔、２１…環状支持枠、２２…嵌合開口、２３…固定手段、２４…ガード板、２４…Ａ上部ガード板、２４Ｂ…下ガード板、２５…嵌合溝、２６、２７…貫通小孔、２８…位置決め開口、３０…隙間、３１…弾性の防水板。
【図１】
0005022186.tif 000002
【図２】
0005022186.tif 000003
【図３】
0005022186.tif 000004
【図４】
0005022186.tif 000005
【図５】
0005022186.tif 000006
【図６】
0005022186.tif 000007
【図７】
0005022186.tif 000008
【図８】
0005022186.tif 000009
【図９】
0005022186.tif 000010